【事件の表示】
　昭和６３年特許願第２５９４７４号「テレビジヨン信号の撮像装置」拒絶査定に対する審判事件（平成２年４月１９日出願公開、特開平２−１０７０８５）について、次のとおり審決する。
【結論】
　本件審判の請求は、成り立たない。
【理由】
１．手続きの経緯・本願発明の要旨
　本願は、昭和６３年１０月１７日の出願であって、その請求項１に係る発明は、平成７年３月１７日付、平成９年５月１２日付ならびに平成１０年１２月４日付の各手続補正書により補正された明細書及び図面の記載からみて、その特許請求の範囲の請求項１に記載された次のとおりのものと認める。
「１．第１のアスペクト比の撮像素子を用いて撮像された画像から第１の画像信号を生成する手段と、
上記第１の画像信号を時間軸伸長して第２の画像信号を生成する手段と、
上記第１の画像信号より第１のアスペクト比のテレビジョン信号を生成する手段と、
上記第２の画像信号より第２のアスペクト比のテレビジョン信号を生成する手段と、
上記第１のアスペクト比のテレビジョン信号と上記第２のアスペクト比のテレビジョン信号のいずれか一方を選択して出力するスイッチとを有するテレビジョン信号の撮像装置。」
２．引用例の記載
　これに対して、原査定の拒絶の理由に引用した特開昭６２−２９０２８３号公報（以下、引用例という）には、下記の事項が記載されている。
「本発明によるテレビジョン伝送方式を第１図に示す。テレビジョンカメラ１は高精細度テレビジョン信号を発生させるのに用いられ、このカメラは斯かるテレビジョン信号を第１及び第２伝送信号に変換する回路を内蔵しており、上記伝送信号の内の少なくとも第１伝送信号は、例えばＮＴＳＣテレビジョン標準規格に適合させる。」（第７頁右上欄第２行〜第８行）
「第２図に示すように、本発明によるテレビジョン伝送方式では縦横比（アスペクト比）が５　１／２：３の画像をディスプレイに形成する高精細度のテレビジョン信号を発生させる。これは縦横比が４：３の標準の表示画像とは極めて相違するものであり、この標準の表示画像を便宜上幅広の表示画像の中央部に示してある。斯かる５　１／２：３の縦横比は、同じディスプレイにて縦横比が標準の４：３の信号をオーバーラップすることなく同時に見れるように選択する。」（第７頁左下欄第１行〜第１０行）」
「第４図は高精細度テレビジョン信号を２つの伝送信号に変換する回路の一例を示すブロック線図である。ビデオ（信号）源１０は高精細度のテレビジョン信号を供給し、この信号の輝度信号帯域幅は１１．２ＭＨｚ以上であり、またこの信号は表示画面上に５２５本の走査ラインで、フレーム速度が６０Ｈｚで、縦横比が５　１／２：３の順次走査画像フレームを形成する。」（第８頁左上欄第７行〜第１４行）
「２つのクロミナンス信号は先ず各アナログ−ディジタル変換器１４及び１６に供給し、・・・（中略）・・・垂直ライン・デシメータ２０の出力は１ライン遅延を呈する２チャネルの遅延回路２２に供給し、ついで３チャネルの１：２時間伸張回路２４（これはバッファメモリとすることができる）の第１及び第２入力端子に供給する。
　マトリックス回路１２からの輝度信号は、アナログ−ディジタル変換器２６を介してデマルチプレクサ２８に供給する。このマルチプレクサは高精細度テレビジョン信号のライン周波数の１／２のクロック信号を受信する。例えば、ラインＡ、Ｃ、Ｅ等を搬送するデマルチプレクサ２８の第１出力は、１ライン遅延を呈する遅延回路３０に結合させ、ついで３−チャネルの１：２時間伸張回路２４の第３入力端子に結合させる。この１：２時間伸張回路は、標準テレビジョンラインの全ライン期間を輝度及びクロミナンス信号における各ラインの持続期間がほぼ占めるべくこれら各ラインを伸長させ、また各信号の帯域幅を有効に半分にすると云う２つの目的に仕える。
　ついで伸長させて輝度及びクロミナンス信号を３−チャネルのデマルチプレクサ３２に供給し、これにて第３Ｃ及び３Ｅ図に図式的に示したようにラインＡ、Ｃ、Ｅ、Ｇ等からラインセグメントａ、ｃ、ｅ、ｇ等を分離させて、これらのラインセグメントを第１組の出力端子３２．１に供給する。この出力端子３２．１は時間伸張回路２４とほぼ同様な３チャネルの３：４時間伸張回路３４に接続する。伸長させた出カラインセグメントａ、ｃ、ｅ、ｇ等は標準テレビジョン信号における１ラインの完全な持続期間をほぼ占め、かつ４．２ＭＨｚの標準のテレビジョン信号の帯域幅に等しいか、又はそれ以下の帯域幅を有する。これがため、クロミナンス信号は水平帯域通過フィルタ３６に供給し、ついで変調器３８に供給して、発振器４０が発生する標準のクロミナンス副搬送波で変調する。この変調器３８の変調出力はパイロットライン（これは標準のＶＩＴ信号とすることができる）と一緒に加算器４２に供給する。ラインセグメントａ、ｃ、ｅ、ｇ等に対する輝度信号は垂直櫛形プレ−フィルタ４４に供給する。加算器４２の出力はディジタル−アナログ変換器４６に供給し、これにより標準のテレビジョン受像機に兼用できる第１伝送信号を形成する。」（第８頁左上欄第１９行〜右下欄第１５行）
３．対比・判断
　本願の請求項１の発明（以下、前者という）と上記引用例記載のもの（以下、後者という）を比較すると、後者の「テレビジョンカメラ１」は、「テレビジョン信号の撮像装置」であって、「高精細度テレビジョン信号を発生させるのに用いられ、このカメラは斯かるテレビジョン信号を第１及び第２伝送信号に変換する回路を内蔵しており、上記伝送信号の内の少なくとも第１伝送信号は、例えばＮＴＳＣテレビジョン標準規格に適合させる」（第７頁右上欄第３行〜第８行）ものであり、この「高精細度テレビジョン信号」は、「縦横比（アスペクト比）が５　１／２：３の画像」である。したがって、後者の「テレビジョンカメラ１」は、「５　１／２：３」の第１のアスペクト比の撮像素子を用いて撮像された画像から生成された第１の画像信号である「高精細度テレビジョン信号」を生成する手段を備えているものと認められる。
　また、内蔵される「高精細度テレビジョン信号を２つの伝送信号に変換する回路」は、「３−チャネルの１：２時間伸張回路」を備え、この「時間伸張回路」の出力信号を用いて「標準のテレビジョン受像機に兼用できる第１伝送信号を形成する」ものである。
　この「１：２時間伸張回路は、標準テレビジョンラインの全ライン期間を輝度及びクロミナンス信号における各ラインの持続期間がほぼ占めるべくこれら各ラインを伸長させ、また各信号の帯域幅を有効に半分にして」、「４：３」の第２のアスペクト比の画像信号を生成するから、前者の「第１の画像信号を時間軸伸長して第２の画像信号を生成する手段」に対応する。また、上記「高精細度テレビジョン信号を２つの伝送信号に変換する回路」は、「時間伸張回路」の出力信号を用いて「標準のテレビジョン受像機に兼用できる第１伝送信号を形成する」ものであるから、「上記第２の画像信号より第２のアスペクト比のテレビジョン信号を生成する手段」を備えているものと認める。
　したがって、両者は、「第１のアスペクト比の撮像素子を用いて撮像された画像から第１の画像信号を生成する手段と、
上記第１の画像信号を時間軸伸長して第２の画像信号を生成する手段と、
上記第２の画像信号より第２のアスペクト比のテレビジョン信号を生成する手段と、
を有するテレビジョン信号の撮像装置。」である点で一致し、以下の各点で相違している。
［相違点１］
　前者は、第１のアスペクト比の撮像素子を用いて撮像された画像から生成された「第１の画像信号より第１のアスペクト比のテレビジョン信号を生成する手段」を備えているのに対して、後者は、伝送信号としての「高解像度テレビジョン信号」を生成し、出力するものではない点。
［相違点２］
　前者は、「上記第１のアスペクト比のテレビジョン信号と上記第２のアスペクト比のテレビジョン信号のいずれか一方を選択して出力するスイッチ」を有するのに対して、後者は、このようなスイッチが記載されていない点。
　上記相違点について検討する。
［相違点１について］
　撮像素子から生成される、標準テレビジョン信号と異なるアスペクト比の画像信号より、伝送信号として、画像信号より、画像信号と同じアスペクト比を有するテレビジョン信号を生成することは、例えば特開昭６１−１７１２８９号公報、特開昭６０−２６４１６９号公報、特開昭６２−１７２８９５号公報等に記載されているとおり、周知の事項である。
　そして、後者のテレビジョンカメラは、「５１／２：３」のアスペクト比の画像信号である「高精細度テレビジョン信号」を生成するものであるから、この画像信号より、「５１／２：３」のアスペクト比を有する伝送信号としての「テレビジョン信号」を生成する手段を設け、外部に出力可能な信号とすることは、当業者が必要に応じてなし得るものと認める。
［相違点２について］
　異なる複数の種類の信号に関して、いずれかを選択して出力するスイッチを用いて、いずれか一方を選択して出力するよう構成することは、当業者が必要に応じて任意になし得る設計的事項に過ぎないものと認められる。
４．むすび
　したがって、本願の請求項１の発明は、上記引用例に記載された発明に基づいて当業者が容易に発明をすることができたものであるから、特許法第２９条第２項の規定により特許を受けることができない。
　よって、結論のとおり審決する。